(57)【要約】【課題】プラスチックごみ等の廃棄物の効率的な貯留や運搬を行うことができ、排出地に近い都市部のように敷地面積が限られた土地でも分別・資源化プラント等の建設を可能とする廃棄物の圧縮収容方法及び圧縮収容装置を提供する。【解決手段】コンパクタ４の近傍に固定設置されている昇降式スライド扉開閉機構４３ａによって、コンテナ５の入口部に設けた昇降式スライド扉５ａを開閉するとともに、コンテナ５の昇降式スライド扉５ａを閉める際に、コンパクタ４の押し込み面４ｄをコンテナ５内部まで一旦前進させてから昇降式スライド扉５ａの位置まで後退させて停止させた後に、押し込み面４ｄに沿って昇降式スライド扉５ａを閉じる。【選択図】　　　　　　図１
2004026497.tif 000002
【特許請求の範囲】
【請求項１】
廃棄物を、入口部に開閉扉を有するコンテナの内部に、押し込み板を有する圧縮装置で圧縮して収容する廃棄物の圧縮収容方法であって、
コンテナの入口部と圧縮装置の押し込み板の押し込み面が対向するようにコンテナを圧縮装置に対して配置する配置工程と、
コンテナの外部に設置されている扉開閉機構によってコンテナ入口部の開閉扉を開く扉開放工程と、
前記押し込み板を前記コンテナの内部に向けて前進させることにより、前記押し込み板の押し込み面の前方に供給された廃棄物を前記コンテナの内部に圧縮して収容する圧縮収容工程と、
前記押し込み板の押し込み面を前記コンテナの内部に一旦前進させてから前記コンテナの外部に後退させた後に、前記扉開閉機構によって前記コンテナの入口部の開閉扉を閉じる扉閉鎖工程と
を有することを特徴とする廃棄物の圧縮収容方法。
【請求項２】
廃棄物がプラスチックごみであることを特徴とする請求項１記載の廃棄物の圧縮収容方法。
【請求項３】
入口部に開閉扉を有するコンテナに廃棄物を収容するための廃棄物の圧縮収容装置であって、
押し込み面が前記コンテナの入口部に対向するように配置された押し込み板を有し、当該押し込み板の前方に供給される廃棄物を押し込み面で前進させて前記コンテナの内部に圧縮して収容する圧縮装置と、
前記押し込み板の前方に廃棄物を供給する廃棄物供給機構と、
前記コンテナの外部に設置され、前記コンテナの入口部の開閉扉を開閉する機構であって、前記コンテナの内部に一旦前進させた前記押し込み板が前記コンテナの外部に後退した後に、前記コンテナの入口部の開閉扉を閉じる扉開閉機構とを備えていることを特徴とする廃棄物の圧縮収容装置。
【請求項４】
コンテナの入口部の開閉扉がスライド式扉であることを特徴とする請求項３記載の廃棄物の圧縮収容装置。
【請求項５】
廃棄物がプラスチックごみであることを特徴とする請求項３または４記載の廃棄物の圧縮収容装置。
【請求項６】
スライド式扉からなる第１の開閉扉と、前記第１の開閉扉に対向して設けられた第２の開閉扉とを備えたことを特徴とするコンテナ。
【請求項７】
回転式扉であるとともに、その扉面の一部がスライドすることによってスライド式扉にもなる開閉扉を備えたことを特徴とするコンテナ。
【発明の詳細な説明】
【０００１】
【発明の属する技術分野】
この発明は、広くは、家庭または事業所から排出されたプラスチックごみ等の廃棄物の分別・資源化処理等に関するものであり、特に、その保管・運搬効率の向上をねらいとした廃棄物の圧縮収容方法及び圧縮収容装置に関するものである。
【０００２】
【従来の技術】
家庭または事業所から排出された再資源化が可能な資源化ごみ（例えば、ペットボトル、プラスチックフィルムやトレー等のプラスチックごみ及び缶）は、ごみ収集車により回収されて、分別・資源化プラントへ運搬されて分別・資源化処理が行われる。通常、分別・資源化ラインは毎日稼動して、回収された資源化ごみを平均処理するように設計されているが、資源化ごみの回収は毎日実施されず、週１回〜３回の頻度で行われることも多い。そのため、１週間分、または、２〜４日分のごみを貯留することが可能な大容積の貯留スペース（一般的に、ピットと呼ばれている）が必要となっている。
【０００３】
また、焼却ごみ（例えば、食物残渣等の厨芥物）も含めた都市ごみについて、ごみの運搬効率を上げるために、ごみ収集車で回収された都市ごみを都市近郊に設置した運搬中継基地まで運搬して大型のごみコンテナに詰め替えてから、コンテナ運搬車や船等によりごみ処理場へと運搬させることも行われているが、このような運搬中継基地についても、都市ごみの収集時間や頻度と大型コンテナの運搬時間や頻度等が違うためコンテナの貯留スペースが必要となっている。
【０００４】
これらの問題に対応するための技術として、ごみを充填したコンテナをスタッカクレーンにより立体保管棚に貯留する自動倉庫システムがある（例えば、特許文献１参照。）。また、その自動倉庫システムを分別・資源化プラントのピットの代替として用いたものがある（例えば、特許文献２参照。）。
【０００５】
また、運搬中継基地において、ごみをコンテナに充填させる際に、圧縮装置（以下、コンパクタと呼ぶ）を用いてごみを圧縮して収容することが行われており、コンテナの一側部に蓋板が脱着可能なように係止ピン等のロック機構により固定されており、コンテナ内にごみを圧縮収容する際は、蓋板がコンパクタと結合して押し込み板として使用され、コンテナ内へのごみの圧縮が終了すると、蓋板をコンテナの側面に位置決め停止させてから、コンパクタ側に取付けられた作動機構により、係止ピン等のロック機構を作動させ、再度、蓋板を付けるというコンテナ圧縮収容システムが知られている（例えば、特許文献３参照。）。
【０００６】
【特許文献１】
特開平８−１２０１３号公報
【０００７】
【特許文献２】
特開平１０−２１８３０４号公報
【０００８】
【特許文献３】
特開平８−４０５０５号公報
【０００９】
【発明が解決しようとする課題】
しかし、近年、プラスチックごみ等の廃棄物の排出量が年々増加しており、分別・資源化プラント等で必要なごみの貯留スペースは増大してきている。特に、かさ密度が小さいプラスチックごみの場合は深刻である。
【００１０】
一方、収集車の収集効率（収集車の走行距離や収集時間）の観点から、プラスチックごみ等の排出地である都市近郊に分別・資源化プラント等を建設することが望ましいが、建設可能な土地・敷地面積が限られている。
【００１１】
上記のような状況に対応するためには、プラスチックごみ等の貯留効率や運搬効率等を向上させることが必要であるが、前記特許文献３に記載のコンテナ圧縮収容システムをプラスチックごみ等に適用しようとすると、以下の点から貯留効率や運搬効率等の面で問題がある。
【００１２】
すなわち、前記特許文献３に記載のコンテナ圧縮収容システムでは、コンテナの蓋板を脱着構造にしてコンパクタの押し込み板としても用いるようにしているために、コンテナ及びコンパクタの構造が複雑で、その操作手順も煩雑であるとともに、コンテナ入口部の間口面積を大きくできないこと及び脱着式の蓋が圧縮中にコンテナ内に落下する恐れがあるので押し込み板がコンテナ内部に奥深く入り込めないことから、スプリングバックのあるプラスチックごみ等をコンテナ内に迅速に押し込むことができない。したがって、プラスチックごみ等の効率的な貯留や運搬を行うことが難しい。
【００１３】
本発明は、上記のような問題を解決するためになされたものであり、プラスチックごみ等の廃棄物の効率的な貯留や運搬を行うことができ、排出地に近い都市部のように敷地面積が限られた土地でも分別・資源化プラントの建設を可能とする廃棄物の圧縮収容方法及び圧縮収容装置を提供することを目的としている。
【００１４】
また、本発明は、プラスチックごみ等の廃棄物を圧縮収容するのに適するとともに、その収容物を効率的に排出することを可能とするコンテナを提供することを目的としている。
【００１５】
【課題を解決するための手段】
上記の課題を解決するために、本発明は下記の特徴を有している。
【００１６】
［１］廃棄物を、入口部に開閉扉を有するコンテナの内部に、押し込み板を有する圧縮装置で圧縮して収容する廃棄物の圧縮収容方法であって、　コンテナの入口部と圧縮装置の押し込み板の押し込み面が対向するようにコンテナを圧縮装置に対して配置する配置工程と、コンテナの外部に設置されている扉開閉機構によってコンテナ入口部の開閉扉を開く扉開放工程と、前記押し込み板を前記コンテナの内部に向けて前進させることにより、前記押し込み板の押し込み面の前方に供給された廃棄物を前記コンテナの内部に圧縮して収容する圧縮収容工程と、前記押し込み板の押し込み面を前記コンテナの内部に一旦前進させてから前記コンテナの外部に後退させた後に、前記扉開閉機構によって前記コンテナの入口部の開閉扉を閉じる扉閉鎖工程とを有することを特徴とする廃棄物の圧縮収容方法。
【００１７】
［２］廃棄物がプラスチックごみであることを特徴とする前記［１］記載の廃棄物の圧縮収容方法。
【００１８】
［３］入口部に開閉扉を有するコンテナに廃棄物を収容するための廃棄物の圧縮収容装置であって、押し込み面が前記コンテナの入口部に対向するように配置された押し込み板を有し、当該押し込み板の前方に供給される廃棄物を押し込み面で前進させて前記コンテナの内部に圧縮して収容する圧縮装置と、前記押し込み板の前方に廃棄物を供給する廃棄物供給機構と、前記コンテナの外部に設置され、前記コンテナの入口部の開閉扉を開閉する機構であって、前記コンテナの内部に一旦前進させた前記押し込み板が前記コンテナの外部に後退した後に、前記コンテナの入口部の開閉扉を閉じる扉開閉機構とを備えていることを特徴とする廃棄物の圧縮収容装置。
【００１９】
［４］コンテナの入口部の開閉扉がスライド式扉であることを特徴とする前記［３］記載の廃棄物の圧縮収容装置。
【００２０】
［５］廃棄物がプラスチックごみであることを特徴とする前記［３］または［４］記載の廃棄物の圧縮収容装置。
【００２１】
［６］スライド式扉からなる第１の開閉扉と、前記第１の開閉扉に対向して設けられた第２の開閉扉とを備えたことを特徴とするコンテナ。
【００２２】
［７］回転式扉であるとともに、その扉面の一部がスライドすることによってスライド式扉にもなる開閉扉を備えたことを特徴とするコンテナ。
【００２３】
【発明の実施の形態】
本発明の廃棄物の圧縮収容方法及び圧縮収容装置の一実施形態を以下に説明する。
【００２４】
なお、この実施形態は、資源化ごみ及び焼却ごみを含めた廃棄物全般に適用可能であるが、以下の説明は、かさ密度が小さいために特に問題となるプラスチックごみの場合を例にして述べる。
【００２５】
図１及び図２は、本発明の一実施形態に係る廃棄物の圧縮収容方法及び圧縮収容装置を分別資源化施設に組み入れたものであり、図１がその側面図、図２がその上面図である。図３は、その際に使用されるコンテナの構造を示す図であり、図４は、制御装置の構成を示す図である。そして、図５、図６、図７は、詳細な動作手順を示す動作工程図である。
【００２６】
図１及び図２において、ごみ収集車１で収集されてきたプラスチックごみＷは、プラットホーム２から受入れホッパー３へと投下される。受入れホッパー３へ投下されたプラスチックごみＷは、受入れホッパー３の下方に位置する圧縮室４ｂに投入され、コンパクタ４が作動することにより、ピストン４ａと押し込み板４ｃによってコンテナ５の内部に圧縮されながら押し込まれて収容される。
【００２７】
なお、コンテナ５は、当初、空の状態で立体保管棚７に保管されており、スタッカクレーン８、昇降リフタ付きコンベア１０、受入れコンベア９等の搬送機構を介して、コンパクタ４近傍に搬送され、コンテナロック・解除機構４２（図４）によってコンパクタ４と連結固定される。一方、コンパクタ４の圧縮室４ｂには、コンテナ５が連結されていない時に投下されたプラスチックごみＷの流出を抑えるために、コンテナ５と連結する側に昇降式スライドゲート６が設けられている。昇降式スライドゲート６は、油圧または電動駆動シリンダ等のコンパクタ昇降式スライドゲート開閉機構４１により開閉される。
【００２８】
そして、プラスチックごみＷが圧縮収納されたコンテナ５は、受入れコンベア９及び昇降リフタ付きコンベア１０等の搬送機構を介して、スタッカクレーン８によって立体保管棚７に保管される。
【００２９】
立体保管棚７に保管されたコンテナ５は、その後、スタッカクレーン８及び搬出コンベア２１等の搬送機構を介して、プラスチックごみＷの排出口へと搬出される。排出口には分別資源化ラインが隣接しており、排出口へ搬出されたコンテナ５から、圧縮収容されていたプラスチックごみＷが、排出ピストン２２により、分別資源化ラインの供給ホッパー２３に排出される。この時、昇降式スライド扉５ａと下開き式扉５ｂの両方が開いた状態でスライド扉５ａ側から排出ピストン２２を押し込み、下開き式扉５ｂ側からごみを排出する。排出が終了したコンテナ５は、再度、スタッカクレーン８及び搬出コンベア２１等の搬送機構を介して、立体保管棚７に保管される。
【００３０】
図３に、上記において用いられるコンテナ５の構造を示す。図３（ａ）が縦断面図、（ｂ）が正面図である。コンテナ５は、コンパクタ４との連結側が入口部で、そこに昇降式スライド扉５ａが設けられており、反対側の分別資源化ライン側が出口部で、そこに下開き式扉５ｂが設けられている。
【００３１】
昇降式スライド扉５ａは、上下方向にスライドすることで、ほぼコンテナ断面積の全面に近い広さで開閉するような構造となっており、プラスチックごみＷをコンパクタ４で圧縮収容する際には、コンパクタ４の近傍に固定設置されている昇降式スライド扉開閉機構４３ａによって開閉され、プラスチックごみＷを排出ピストン２２により排出する際には、排出ピストン２２の近傍に固定設置されている昇降式スライド扉開閉機構４３ｂによって開閉される。なお、昇降式スライド扉５ａの下部は、閉じ易いようにテーパー形状となっている。
【００３２】
一方、下開き式扉５ｂは、コンテナ上部に設けられた扉回転軸５ｆを中心にして回転することで、ほぼコンテナ断面積の全面に近い広さで開閉するような構造となっており、コンパクタ４で圧縮収容する際やスタッカクレーン８やコンベア９等による搬送中及び立体保管棚７での保管中は開閉しないようにロックアーム５ｄとロックアーム回転軸５ｅからなるロック機構５ｃにより固定されるようになっている。そして、プラスチックごみＷを排出ピストン２２により排出する際には、排出ピストンの近傍に固定設置されている下開き式扉ロック・解除機構４６と下開き式扉開閉機構４７により開閉される。
【００３３】
このような開閉扉を有するコンテナ５にプラスチックごみＷを圧縮収容する際の詳細な動作手順を以下に述べる。
【００３４】
まず、図５（ａ）に示すように、コンテナ５が保管されている立体保管棚７から空のコンテナ５が、スタッカクレーン８、受入れコンベア９及びスタッカクレーン８と受入れコンベア９の高低さを埋めて受渡しを行う昇降リフタ付きコンベア１０等の搬送機構を介してコンパクタ４の近傍まで搬送され、コンテナロック・解除機構４２によりコンパクタ４と連結される。
【００３５】
そして、図５（ｂ）に示すように、コンパクタ４の昇降式スライドゲート６がコンパクタ昇降式スライドゲート開閉機構４１によって開かれ、開閉扉式コンテナ５の昇降式スライド扉５ａがコンテナ昇降式スライド扉開閉機構４３ａによって開かれる。
【００３６】
次に、図５（ｃ）に示すように、ピストン４ａが作動して、ピストン４ａの先端に設けられた押し込み板４ｃが、油圧シリンダからなるピストン駆動機構４４により往復動することで、ごみ収集車１より投入されたプラスチックごみＷがコンテナ５に圧縮されながら押し込まれる。この押し込み板４ｃの押し込み面４ｄの大きさ及び形状は、スライド扉を開いた時の開口の大きさ及び形状にほぼ対応している。なお、ピストン４ａの押し込みストロークは、コンパクタ制御装置３３により、押し込み回数や、ピストン油圧圧力検出センサ４５から推定した押し込み反力の条件から可変制御することで圧縮時間の短縮化と圧縮の効率化を図っている。
【００３７】
例えば、コンテナ５内にプラスチックごみが少ない状態で，押し込み回数が少ないか、押し込み反力が小さい条件の時は、押し込みストロークを長く取り、プラスチックごみをコンテナ５の奥側まで圧縮するようにする。コンテナ５内のプラスチックごみが多くなってきた状態で、押し込み回数が多いか、押し込み反力が大きい条件の時は、押し込みストロークを短く取り、短時間で効率的な圧縮動作をするように調整されている。プラスチックごみの圧縮特性として、押し込み板４ｃ付近のプラスチックごみは十分に押し込み圧力が伝達されるが、押し込み板４ｃより遠ざかった地点は、押し込み圧力が伝達されないために、効率的に圧縮ができないので、コンテナ５の出口側に収容されるプラスチックごみは、可能な限りピストン４ａの押し込みストロークを長く取って押し込んでおくほうが効率的である。また、コンテナ５へのプラスチックごみＷの収容量を検出するには、押し込み反力の状態をピストン４ａに取り付けたピストン油圧圧力検出センサ４５から推定するか、または、連結しているコンテン５の重量をロードセル等で計量することで行う。
【００３８】
そして、プラスチックごみＷがコンテン５に満杯になると、以下の手順によって、コンテナ５の昇降式スライド扉５ａが閉じられる。
【００３９】
まず、図６（ｄ）に示すように、ピストン４ａを伸ばして、押し込み面４ｄが一旦コンテナ５の内部に入る位置まで押し込み板４ｃを前進させて圧縮動作を行う。
【００４０】
その後、図６（ｅ）に示すように、ピストン４ａを縮めて、押し込み面４ｄがコンテナ５の昇降式スライド扉５ａの位置に来るまで押し込み板４ｃを後退させて停止する。この時、圧縮されたプラスチックごみＷは、押し込み板４ｃが後退するにつれて若干復元して、押し込み板４ｃへ復元反力を発生させるが、押し込み板４ｃが後退することで、押し込み面４ｄに対する反力は小さくなる。押し込み板４ｃによって圧縮した時のコンテナ５内のプラスチックごみの圧力分布を図８（ａ）に、押し込み板４ｃが後退した時のコンテナ５内のプラスチックごみの圧力分布を図８（ｂ）に示す。図８（ｂ）に示すように、押し込み板４ｃが後退した時にできた空間のプラスチックごみの圧力は非常に小さくなっている。
【００４１】
次に、図６（ｆ）に示すように、コンテナ昇降式スライド扉開閉機構４３ａにより、コンテナ５の昇降式スライド扉５ａが押し込み面４ｄに沿って閉じられる。この時、前述のように、押し込み面４ｄ周辺のプラスチックごみの圧力が小さくなっており、押し込み面４ｄに発生するプラスチックごみの復元反力は小さくなっているので、容易に昇降式スライド扉５ａを閉めることができる。しかも、昇降式スライド扉５ａの先端がテーパー形状となっているので、一層容易に閉めることができる。なお、押し込み面４ｄと昇降式スライド扉５ａとの摩擦力を低減するために、押し込み面４ｄにナイロン樹脂やフッ素樹脂等の自己潤滑特性を有し摺動特性に優れたエンジニアリングプラスチック等を貼ってもよい。
【００４２】
コンテナ５の昇降式スライド扉５ａが閉じられると、図７（ｇ）に示すように、コンテナ５は、コンパクタ４との連結状態が解除され、再度、受入れコンベア９、昇降リフタ付きコンベア１０等の搬送機構を介して、スタッカクレーン８によって立体保管棚７に保管される。また、コンパクタ４の昇降式スライドゲート６もコンパクタ昇降式スライドゲート開閉機構４１によって閉じられる。
【００４３】
そして、図７（ｈ）に示すように、昇降式スライドゲートの働きにより、次のコンテナが搬送されるまでの間も、プラスチックごみＷを受入れホッパー３及び圧縮室５ｂに貯留され、図５（ａ）からの次のサイクルが開始される。
【００４４】
なお、受入れホッパー３でのみ貯留するようにすれば、図７（ｇ）に示す状態で押し込み板４ｃの動作を終了して、次のサイクル動作を開始するようにすることで、昇降式スライドゲート６がなくても装置を構成することが可能である。
【００４５】
このように、本発明の一実施形態においては、コンパクタ４の近傍に固定設置されている昇降式スライド扉開閉機構４３ａによって、コンテナ５の入口部に設けた昇降式スライド扉５ａを開閉するとともに、コンテナ５の昇降式スライド扉５ａを閉める際に、コンパクタ４の押し込み面４ｄをコンテナ５内部まで一旦前進させてから昇降式スライド扉５ａの位置まで後退させて停止させた後に、押し込み面４ｄに沿って昇降式スライド扉５ａを閉じるので、コンパクタ４やコンテナ５の構造がシンプルで、その操作手順も簡潔であるとともに、コンテナ５の入口部の開口面積も大きくできることから、大きな圧縮が必要であるプラスチックごみをコンテナ５内に迅速に押し込んで圧縮収納することができる。したがって、効率的で信頼性の高いプラスチックごみの貯留や運搬を行うことができる。
【００４６】
また、コンテナ５は、昇降式スライド扉５ａからなる開閉扉を有するため、プラスチックごみ等を圧縮収容するのに適する。さらに、昇降式スライド扉５ａに対向する位置に下開き式扉５ｂを有するため、ごみの排出時に両扉を開状態にし、一方からごみを押して他方から排出することにより効率的なごみ排出が可能となる。
【００４７】
本発明の他の実施形態を以下に説明する。この実施形態は、本発明を焼却ごみの運搬中継基地に適用した場合である。
【００４８】
図９が、この実施形態における運搬中継基地の説明図であり、図１０がその運搬中継基地における処理フロー図である。図１１及び図１２は、その際に使用されるコンテナの構造を示す図である。
【００４９】
図９及び図１０に示すように、運搬中継基地においては、焼却ごみを収集してきたごみ収集車５１をごみ収集車受入場２に受け入れ、収集してきた焼却ごみをコンパクタ５３に投入してコンテナ５５に圧縮収容し、そのコンテナ５５をコンテナ保管棚５４に一時保管する。その後、一時保管されていたコンテナ５５をコンテナ保管棚５４から取り出し、中継輸送車５６（１０ｔ大型車）で焼却場や処理場に搬送する。
【００５０】
その際、コンテナ５５の一方を中継輸送車５６に連結して搬送すること等から、焼却ごみを収容し排出するための開閉扉は、コンテナ５５の片側にのみ設けられていることが望ましい。したがって、この実施形態におけるコンテナ５５は、図１１及び図１２に示すような構造となっている。図１１が側面図、図１２が正面図である。
【００５１】
図１１及び図１２に示すように、コンテナ５５は片側に開閉扉５５ａを備えており、反対側の外面に中継輸送車５６に連結用のアームロック用フック５５ｉを備えている。
【００５２】
そして、開閉扉５５ａは、下開きの回転式扉５５ｂであるとともに、回転式扉５５ｂの扉面が上下方向にスライドして昇降スライド式扉５５ｃにもなるようになっている。
【００５３】
下開き回転式扉５５ｂは、扉が閉じた状態を図１１（ａ）に、扉が開いた状態を図１１（ｂ）に示すように、コンテナ本体上部のヒンジ５５ｄによってコンテナ本体に繋がれ、ヒンジ５５ｄを中心にして回転することで、コンテナ断面積の全面の広さで開閉するようになっている。そして、コンテナ保管棚５４での保管中や中継搬送車による搬送中に開閉しないように、ロックアーム５５ｆとロックアーム回転軸５５ｇ及び止め金具５５ｈとからなるロック機構５５ｅにより固定されるようになっている。
【００５４】
一方、昇降スライド式扉５５ｃは、扉が閉じた状態を図１２（ａ）に、扉が開いた状態を図１２（ｂ）に示すように、回転式扉５５ｂの扉面のほぼ全面が上下方向にスライドするようになっているものであり、これによりほぼコンテナ断面積の全面に近い広さで開閉できるようになっている。なお、昇降スライド式扉５５ｃの下部は、閉じ易いようにテーパー形状となっている。
【００５５】
このような開閉扉５５ａを有するコンテナ５５に焼却ごみを圧縮収容する際には、下開き回転式扉５５ｂが閉じた状態で、昇降スライド式扉５５ｃを上方にスライドして開き、コンパクタ５３を用いて焼却ごみＹをコンテナ５５内に圧縮収容する。その際、コンパクタ５３の押し込み面をコンテナ５５の内部に一旦前進させてからコンテナ５５の外部に後退させた後、昇降スライド式扉５５ｃを下方にスライドして閉じる。これによって、焼却ごみＹを迅速に圧縮収容することができる。
【００５６】
そして、圧縮収容されている焼却ごみを焼却場等でコンテナ５５から排出する際には、昇降スライド式扉５５ｃが閉じた状態で、下開き回転式扉５５ｂを開き、コンテナ５５に圧縮収容されている焼却ごみＹを排出する。これによって、焼却ごみＹを迅速に排出することができる。
【００５７】
このようにして、この実施形態においては、下開き回転式扉５５ｂと昇降スライド式扉５５ｃを兼用した開閉扉５５ａを有するコンテナ５５を用いて、焼却ごみをコンテナ５５に圧縮収容する際には昇降スライド式扉５５ｃを使用し、焼却ごみをコンテナ５５から排出する際には昇降スライド式扉５５ｃを使用するようにしているので、焼却ごみの運搬中継基地に関しても効率的な焼却ごみの貯留や運搬及び排出を行うことができる。
【００５８】
なお、この実施形態は、焼却ごみの運搬中継基地を対象にしたものであるが、資源化ごみの分別資源化施設において、コンテナへの圧縮収容とコンテナからの排出を同一の開閉扉を用いなくてはいけない配置になっている場合にも有効であることはいうまでもない。
【００５９】
【発明の効果】
本発明の廃棄物の圧縮収納方法及び圧縮収納装置は、廃棄物をコンテナに圧縮収納する際に、コンテナの外部に設置された扉開閉機構によってコンテナ入口部に設けられた開閉扉を開閉するとともに、コンテナ入口部の開閉扉を閉める時に、圧縮装置の押し込み板の押し込み面をコンテナ内部まで一旦前進させてから開閉扉の位置まで後退させて停止させた後に、押し込み面に沿って開閉扉を閉じるようにしたので、コンパクタやコンテナに複雑な構造が不要であるとともに、コンテナ入口部の開口面積を大きく取ることが可能となり、効率的で信頼性の高い廃棄物の貯留や運搬を行うことができる。
【００６０】
その結果、排出地に近い都市部のように敷地面積が限られた土地でも廃棄物の分別・資源化プラント等の建設が可能となる。
【００６１】
また、本発明のコンテナは、スライド式扉からなる開閉扉を有するため、プラスチックごみ等を圧縮収容するのに適するとともに、スライド式扉に対向する位置に第２の開閉扉を有するため、ごみの排出時に両扉を開状態にし、一方からごみを押して他方から排出することにより効率的なごみ排出が可能となる。
【００６２】
さらに、本発明のコンテナは、回転式扉とスライド式扉を兼用した開閉扉を有するため、焼却ごみ等の効率的な圧縮収容、保管及び排出が可能となる。
【図面の簡単な説明】
【図１】本発明の一実施形態に係るプラスチックごみの圧縮収容方法及び圧縮収容装置を分別資源化施設に組み入れたものの側面図である。
【図２】本発明の一実施形態に係るプラスチックごみの圧縮収容方法及び圧縮収容装置を分別資源化施設に組み入れたものの正面図である。
【図３】本発明の一実施形態において用いるコンテナの構造図である。
【図４】本発明の一実施形態における制御装置の構成図である。
【図５】本発明の一実施形態においてコンテナへ圧縮収容する際の動作工程図である。
【図６】本発明の一実施形態においてコンテナへ圧縮収容する際の動作工程図である。
【図７】本発明の一実施形態においてコンテナへ圧縮収容する際の動作工程図である。
【図８】コンテナ内におけるプラスチックごみの圧力分布図である。
【図９】本発明の他の実施形態の説明図である。
【図１０】本発明の他の実施形態における処理フロー図である。
【図１１】本発明の他の実施形態において用いるコンテナの側面図である。
【図１２】本発明の他の実施形態において用いるコンテナの正面図である。
【符号の説明】
１　ごみ収集車
２　プラットホーム
３　受入れホッパー
４　コンパクタ
４ａ　ピストン
４ｂ　圧縮室
４ｃ　押し込み板
４ｄ　押し込み面
５　コンテナ
５ａ　昇降式スライド扉
５ｂ　下開き式扉
５ｃ　ロック機構
５ｄ　ロックアーム
５ｅ　ロックアーム回転軸
５ｆ　扉回転軸
６　昇降式スライドゲート
７　立体保管棚
８　スタッカクレーン
９　受入れコンベア
１０　昇降リフタ付きコンベア
２１　搬出コンベア
２２　排出ピストン
２３　供給ホッパー
４１　コンパクタ昇降式スライドゲート開閉機構
４２　コンテナロック・解除機構
４３ａ、４３ｂ　昇降式スライド扉開閉機構
４４　ピストン駆動機構
４５　ピストン油圧圧力検出センサ
４６　下開き式扉ロック・解除機構
４７　下開き式扉開閉機構
５１　ごみ収集車
５２　ごみ収集車受入場
５３　コンパクタ
５４　コンテナ保管棚
５５　コンテナ
５５ａ　開閉扉
５５ｂ　下開き回転式扉
５５ｃ　昇降スライド式扉
５５ｄ　ヒンジ
５５ｅ　ロック機構
５５ｆ　ロックアーム
５５ｇ　ロックアーム回転軸
５５ｈ　止め金具
５５ｉ　止め金具
５５ｉ　アームロック用フック
５６　中継輸送車
Ｗ　プラスチックごみ
Ｙ　焼却ごみ
【図１】
2004026497.tif 000003
【図２】
2004026497.tif 000004
【図３】
2004026497.tif 000005
【図４】
2004026497.tif 000006
【図５】
2004026497.tif 000007
【図６】
2004026497.tif 000008
【図７】
2004026497.tif 000009
【図８】
2004026497.tif 000010
【図９】
2004026497.tif 000011
【図１０】
2004026497.tif 000012
【図１１】
2004026497.tif 000013
【図１２】
2004026497.tif 000014